【手続補正書】
【提出日】平成20年8月4日(2008.8.4)
【手続補正１】
【補正対象書類名】明細書
【補正対象項目名】発明の名称
【補正方法】変更
【補正の内容】
【発明の名称】文書処理装置の制御方法および文書処理装置
【手続補正２】
【補正対象書類名】明細書
【補正対象項目名】特許請求の範囲
【補正方法】変更
【補正の内容】
【特許請求の範囲】
【請求項１】  複数行に亘る文書の特定の行を他の行から区別するための行情報、および当該行に設定された文字装飾の種類を示す文字装飾情報、の双方を表現する個別行マークを、１文字分の表示領域に表示することを特徴とする文書処理装置の制御方法。
【請求項２】  デフォルトとして前記行情報のみを表現する標準行マークが用意されており、
前記文書全体に対し文字装飾を設定した場合、各行に対する前記個別行マークに代えて、各行に前記標準行マークを表示することを特徴とする請求項１に記載の文書処理装置の制御方法。
【請求項３】  前記個別行マークの表示形態は、その行に設定された文字装飾の種類をイメージ可能であることを特徴とする請求項１または２に記載の文書処理装置の制御方法。
【請求項４】  前記行情報は数字であり、
前記個別行マークの表示形態は、前記数字に、当該行に設定した文字装飾を施したものであることを特徴とする請求項１ないし３のいずれかに記載の文書処理装置の制御方法。
【請求項５】  複数行に亘る文書の特定の行を他の行から区別するための行情報を記憶する記憶手段と、
文字装飾の種類を示す文字装飾情報を前記各行に対し選択設定するための設定手段と、
前記行情報および前記文字装飾情報の双方を表現する個別行マークを生成する生成手段と、
前記個別行マークを１文字分の表示領域に表示する表示制御手段と、を備えたことを特徴とする文書処理装置。
【請求項６】  デフォルトとして前記行情報のみを表現する標準行マークを記憶するマーク記憶手段を、更に備え、
且つ前記設定手段は、前記文書全体に対し文字装飾を選択設定可能に構成され、
前記表示制御手段は、前記文書全体に対し文字装飾を設定された場合、各行に対する前記個別行マークに代えて、各行に前記標準行マークを表示することを特徴とする請求項５に記載の文書処理装置。
【請求項７】  前記個別行マークの表示形態は、その行に設定された文字装飾の種類をイメージ可能であることを特徴とする請求項５または６に記載の文書処理装置。
【請求項８】  前記行情報は数字であり、
前記個別行マークの表示形態は、前記数字に、当該行に設定した文字装飾を施したものであることを特徴とする請求項５ないし７のいずれかに記載の文書処理装置。
【請求項９】  各行に設定された文字装飾に従って前記文書を印刷対象物に印刷する印刷手段を、更に備えたことを特徴とする請求項５ないし８のいずれかに記載の文書処理装置。
【手続補正３】
【補正対象書類名】明細書
【補正対象項目名】０００１
【補正方法】変更
【補正の内容】
【０００１】
【発明の属する技術分野】
本発明は、文書処理装置の制御方法および文書処理装置に関する。
【手続補正４】
【補正対象書類名】明細書
【補正対象項目名】０００５
【補正方法】変更
【補正の内容】
【０００５】
本発明は、行単位で文字装飾が設定可能な文書の各行に行マークを付して処理する場合に、各行を区別する行情報および各行の文字装飾情報をコンパクトに表示できる文書処理装置の制御方法および文書処理装置を提供することを目的とする。
【手続補正５】
【補正対象書類名】明細書
【補正対象項目名】０００６
【補正方法】変更
【補正の内容】
【０００６】
【課題を解決するための手段】
本発明の文書処理装置の制御方法は、複数行に亘る文書の特定の行を他の行から区別するための行情報、および当該行に設定された文字装飾の種類を示す文字装飾情報、の双方を表現する個別行マークを、１文字分の表示領域に表示することを特徴とする。
【手続補正６】
【補正対象書類名】明細書
【補正対象項目名】０００７
【補正方法】変更
【補正の内容】
【０００７】
本発明の文書処理装置は、複数行に亘る文書の特定の行を他の行から区別するための行情報を記憶する記憶手段と、文字装飾の種類を示す文字装飾情報を前記各行に対し選択設定するための設定手段と、行情報および文字装飾情報の双方を表現する個別行マークを生成する生成手段と、個別行マークを１文字分の表示領域に表示する表示制御手段と、を備えたことを特徴とする。
【手続補正７】
【補正対象書類名】明細書
【補正対象項目名】０００８
【補正方法】変更
【補正の内容】
【０００８】
これらの構成によれば、各行に文字列を配置した文書のうちの少なくとも１以上の行の少なくとも一部を、その行に付された行マークとともに表示可能であり、その行マークはその行マークが付された行を他から区別するための行情報を表現する表示形態を有するので、小さな表示画面を用いても、表示部分を他から区別でき、その部分の文書全体に対する位置等を把握しやすい。また、文書に対して行単位の文字装飾が設定可能であり、その種類も複数あるが、行マークは、その行に設定された文字装飾の種類を示す文字装飾情報を表現する表示形態を有するので、行マークには、文字装飾の種類に対応する複数種類が存在するので、表示された行マークを見ることにより、小さな表示画面を用いても、文字装飾の種類を把握しやすい。したがって、行単位で文字装飾が設定可能な文書の各行に行マークを付して処理する場合に、各行を区別する行情報および各行の文字装飾情報をコンパクトに表示できる。
また、行マークは、その行マークが付された各行の行情報を含みつつも、１文字分の表示領域に表示可能なので、小さな表示画面を用いても表示しやすく、また、行情報の表示により、表示部分の文書全体に対する位置等をさらに把握しやすくなる。
【手続補正８】
【補正対象書類名】明細書
【補正対象項目名】０００９
【補正方法】変更
【補正の内容】
【０００９】
また、上記の制御方法において、デフォルトとして行情報のみを表現する標準行マークが用意されており、文書全体に対し文字装飾を設定した場合、各行に対する個別行マークに代えて、各行に標準行マークを表示することが好ましい。
【手続補正９】
【補正対象書類名】明細書
【補正対象項目名】００１０
【補正方法】変更
【補正の内容】
【００１０】
同様に、上記の文書処理装置において、デフォルトとして行情報のみを表現する標準行マークを記憶するマーク記憶手段を、更に備え、且つ設定手段は、文書全体に対し文字装飾を選択設定可能に構成され、表示制御手段は、文書全体に対し文字装飾を設定された場合、各行に対する個別行マークに代えて、各行に標準行マークを表示することが好ましい。
【手続補正１０】
【補正対象書類名】明細書
【補正対象項目名】００１１
【補正方法】変更
【補正の内容】
【００１１】
これらの構成によれば、文書全体に対する文字装飾として標準文字装飾が設定可能であり、行マークの複数種類には、標準文字装飾が設定された行であることを示す標準行マークが含まれるので、小さな表示画面を用いても、行マークが標準行マークか否かにより、各行が標準文字装飾の対象か否かを把握できる。また、それ以外の個別文字装飾が設定された行であることを示す個別行マークが含まれるので、標準文字装飾以外についても、各行がその対象か否かを容易に把握できる。
【手続補正１１】
【補正対象書類名】明細書
【補正対象項目名】００１２
【補正方法】変更
【補正の内容】
【００１２】
一方、上記の制御方法および文書処理装置において、個別行マークの表示形態は、その行に設定された文字装飾の種類をイメージ可能であることが好ましい。
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】変更
【補正の内容】
【００１４】
この構成によれば、行マークの表示形態は、その行に設定された文字装飾の種類をイメージ可能に表現する形態である。このため、小さな表示画面であっても、行マークを見ることにより文字装飾の種類を容易に把握できる。
【手続補正１４】
【補正対象書類名】明細書
【補正対象項目名】００１５
【補正方法】変更
【補正の内容】
【００１５】
また、上記の制御方法および文書処理装置において、行情報は数字であり、個別行マークの表示形態は、数字に、当該行に設定した文字装飾を施したものであることが好ましい。
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】変更
【補正の内容】
【００１７】
この構成によれば、行マークには、その行マークが付された各行の行番号情報が含まれるので、その行番号情報の表示により、小さな表示画面を用いても、表示部分の文書全体に対する位置等をさらに把握しやすくなる。また、行マークの表示形態は、行番号情報が示す行番号の文字に対して、文字装飾情報が示す文字装飾を施したときの文字の形態を模したものなので、行マークを見るだけで行番号情報も文字装飾情報も容易に把握できる。
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】変更
【補正の内容】
【００２１】
また、上記の文書処理装置において、各行に設定された文字装飾に従って文書を印刷対象物に印刷する印刷手段を、更に備えることが好ましい。
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００３６
【補正方法】変更
【補正の内容】
【００３６】
キーボード３には、アルファベットキー群、数字キー群、および平仮名や片仮名等の仮名キー群等を含む文字キー群３１の他、各種の動作モードなどを指定するための機能キー群３２などが配列されている。機能キー群３２には、図外の電源キー、印刷動作を指示するための印刷キー、並びに、テキスト入力時のデータ確定や改行および選択画面における各種モードの選択指示のための選択キー３２３が含まれる。
【手続補正２４】
【補正対象書類名】明細書
【補正対象項目名】００４７
【補正方法】変更
【補正の内容】
【００４７】
まず、表示および編集の対象となるテキストデータ（のフォーマット：いわゆるデータ構造）は、初期状態では、図５（ａ）に示すようになっていて、ディスプレイ４では、それに対応して、図５（ｂ）に示すように表示される（画面Ｔ１０：以下、ディスプレイ４の表示画面の表示状態を画面Ｔ××で表現し、参照番号としてはＴ××のみで示す。また、カーソル位置はカーソルＫで図示する。ただし、本実施形態のカーソルＫは表示画面内の２文字目の右側に固定表示され、編集対象の文字等が相対的に移動することにより、カーソルとしての役目を果たす）。図５（ａ）のＩｎｄｅｘ＝０（以下、Ｉｎ［０］のように示す）の値は、暫定設定値であり（以下、Ｉｎ［０］＝「暫定設定値」のように示す）、同様に、Ｉｎ［１］＝「書式」、Ｉｎ［２］＝「スタイル」、Ｉｎ［３］＝「第１行頭」を示し、これらはいずれも２バイト（１６ビット）の数値で表現されている。
【手続補正２５】
【補正対象書類名】明細書
【補正対象項目名】００４９
【補正方法】変更
【補正の内容】
【００４９】
次に、Ｉｎ［０］＝「暫定設定値」およびＩｎ［３］＝「第１行頭」の仕様は、図６（ａ）に示すように規定されている。最初の４ビット「データ識別」は、その部分（データ）が「暫定モード」なのか「行頭」なのかを示している。すなわち、そのデータが文書全体に暫定的に（デフォルト値として）設定された「暫定設定値」を示すのか、あるいは個別の行に対する設定値を示すのか、を４ビットで表現している。続く５ビットは、いわゆる「書体」の選択肢の設定値を示し、次の３ビットはいわゆる「装飾」の設定値を示している。また、これらの設定は、図６（ｂ）に示すように、「暫定設定値」として文書全体に設定できるとともに、「第ｎ行頭」（ここでは、ｎ＝１または２）として各行に対して個別に設定できる。
【手続補正２６】
【補正対象書類名】明細書
【補正対象項目名】００５１
【補正方法】変更
【補正の内容】
【００５１】
テープ印刷装置１では、この状態（Ｔ１０）からユーザにより例えば文字列「あいうえお」が順次入力されると、それらのテキストデータは、図５（ｃ）の（データ構造の）ように格納され、図５（ｄ）のように表示される（Ｔ１１）。また、ユーザは、この状態（Ｔ１１）からカーソル「←」キー３３０Ｌ（３３０ＵＬ）を操作することにより、「あいうえお」の「い」と「う」の間（すなわち「い」の右側）にカーソルＫを（相対的に）移動させ、改行のために選択キー３２３を押すことにより、それ以降の文字列「うえお」を第２行とすることができる。この場合、データとしては、図５（ｅ）のように、Ｉｎ［６］＝「第２行頭」が挿入され、ディスプレイ４（の表示画面）には、図５（ｆ）のように、第２行の行頭を示す第２行マークＨ２が挿入される（Ｔ１２）。
【手続補正２７】
【補正対象書類名】明細書
【補正対象項目名】００５２
【補正方法】変更
【補正の内容】
【００５２】
この状態（Ｔ１２）は、図８（ａ）の画面Ｔ２２の状態と同じであり、図８に示すように、ユーザがカーソルキー３３０ＵＬを押す度に図示上方の状態へ状態遷移し、カーソル「→」キー３３０Ｒ（３３０ＤＲ）を押す度に図示下方の状態へ状態遷移する（Ｔ２０〜Ｔ２５）。また、これらの状態で、印刷キーが押されると、図８（ｂ）のように、第１行が「あい」、第２行が「うえお」の２行構成の文書を印刷するので、ユーザは、印刷後に手動操作レバー２１を操作して、図示のラベルＧ０を作成できる。
【手続補正２８】
【補正対象書類名】明細書
【補正対象項目名】００５６
【補正方法】変更
【補正の内容】
【００５６】
上記の「書体」を選択表示した状態（Ｔ３１）から、ユーザによりカーソルキー３３０ＤＲが押されると、１回押される毎に、「書体」→「飾り字」→「終り？」→「書体」の順で（サイクリックに）循環して選択表示された状態となる。逆に上記の状態（Ｔ３１）からカーソルキー３３０ＵＬが押されると、１回押される毎に、「書体」→「終り？」→「飾り字」→「書体」の順で（すなわち逆順で）循環して選択表示された状態となる。ただし、ここでは、文字装飾を設定するため、「飾り字」が選択表示された状態で（Ｔ３２）、選択キー３２３が押された（操作された）ものとする。この場合、「飾り字」が選択され、その第２階層の選択画面に画面遷移し、直近に選択（アクセス）された（あるいはデフォルトの）選択肢として「強調」を表示する（Ｔ３３）。
【手続補正２９】
【補正対象書類名】明細書
【補正対象項目名】００６３
【補正方法】変更
【補正の内容】
【００６３】
例えば図８で前述の文書全体が「普通」に設定された状態から、図９で上述の方法により文書全体に「強調」の文字装飾を施しても、表示としては同じとなり、標準第１行マークＨ１および標準第２行マークＨ２を使用した表示となる（ただし、印刷のときには太文字で印刷され「強調」の装飾が示される）。これに対し、同じ状態、すなわち全体を「強調」にしておいて、さらに第１行にのみ「白抜き」を設定すると、図１１（ａ）に示すように、個別第１行マークＪ１と標準第２行マークＨ２を使用した表示となり、印刷の際には図１１（ｂ）のように印刷され、図示のラベルＧ１を作成できる。
【手続補正３０】
【補正対象書類名】明細書
【補正対象項目名】００６７
【補正方法】変更
【補正の内容】
【００６７】
なお、上述の例では、複数種類の行マークとして、文書全体に対する設定を示す標準行マークと、個別の行に対する設定を示す個別行マークとを例示したが、例えば図１２に示すように、文字装飾の種類により異なる、特に文字装飾の種類がイメージできるような、各種の行マークを用意して、設定値（文字装飾の種類）に対応して使用するようにしても良い。この場合、行マークを見るだけで文字修飾の種類までイメージでき、文書全体の印刷後のイメージをよりいっそう把握しやすくなる。
【手続補正３１】
【補正対象書類名】明細書
【補正対象項目名】００６８
【補正方法】変更
【補正の内容】
【００６８】
ところで、表示画面が小さな装置における従来の表示方法では、文字装飾を施さない場合には、図１５に示すように、表示イメージの文字列の配置（図１５（ａ）参照）が印刷時の配置（図１５（ｂ）参照）と一致するものの、一部に文字装飾を施した場合、図１６に示すように、１文字分の所定の記号（文字装飾マーク）Ｍを用いて、文字装飾対象の文字列を２個の文字装飾マークＭで挟んで表示したり、各文字装飾マークＭにより文字装飾の範囲の始端や変化端を示すなどの工夫をしているので、表示イメージの文字列の配置（図１６（ａ）参照）が印刷時の配置（図１６（ｂ）参照）と合わず（第２行の「しすせ」が他の行とずれて表示）、この結果、実際の編集結果（印刷結果等に反映）の文字の配置イメージを、編集時点で表示により把握することが困難になっている。
【手続補正３２】
【補正対象書類名】明細書
【補正対象項目名】００６９
【補正方法】変更
【補正の内容】
【００６９】
上述の実施形態と同様に１行（かつ３文字）の表示の場合も、基本的には同様であり、図１４に示すように、図１４（ｂ）のような印刷してラベルＧ１（図１１と同じもの）を作成する場合、その表示（図１４（ａ）参照）は、まるで図１４（ｃ）のラベルＧ１Ｓを印刷して作成するように見える。
【手続補正３３】
【補正対象書類名】明細書
【補正対象項目名】００７２
【補正方法】変更
【補正の内容】
【００７２】
なお、上述の例では、行単位で文字装飾を施す場合についてのみ説明したが、例えば図１３に示すように、元の文字列（図１３（ａ）参照）の行の途中から文字装飾を施す場合、図１３（ｂ）に示す従来の方法の代わりに、図１３（ｃ）に示すように、文字装飾開始マークと被装飾開始文字とを合成した１文字分のサイズの合成文字を用意して（改めて作成して、あるいは予め用意して記憶しておいて）表示することにより、同一サイズの表示画面を利用しても文書のうちの表示可能な範囲を広げることができる。この場合も、従来からの利点は維持していて、文字装飾開始端の被装飾開始文字の前に文字装飾開始マークを配置するので、小さな表示画面を用いても、その文字装飾の対象を把握しやすい。そして、さらに、文書装飾開始マークを配置したことによる文字の配置のずれが無くなり、各文字の配置を把握しやすい。
【手続補正３４】
【補正対象書類名】明細書
【補正対象項目名】００７４
【補正方法】変更
【補正の内容】
【００７４】
【発明の効果】
上述のように、本発明の文書処理装置の制御方法および文書処理装置によれば、行単位で文字装飾が設定可能な文書の各行に行マークを付して処理する場合に、各行を区別する行情報および各行の文字装飾情報をコンパクトに表示でき、小さな表示画面を用いても、文字装飾の対象や文字装飾の種類が把握しやすい、などの効果がある。